(57)【要約】【課題】磁気カードに記録されている情報によって認証が行われるカードから作成されたブランクカードの利用を防止する。【解決手段】カード識別装置は、ＡＴＭのカード挿入口に挿入されたカードの表面及び裏面を、ＣＣＤモジュールで撮像し、表面及び裏面の画像データを取得すると、画像が記録されているか否かを確認し、画像が記録されているときには、表面及び裏面の画像データと、予め登録されて記憶されている登録画像の画像データを照合し、登録画像が形成されているか否かを確認する（ステップ１００〜１１０）。ここで、画像が記録されていないブランクカードであったり、登録画像が記録されていないときには、該当カードが偽であると識別し（ステップ１１６）、この識別結果をＡＴＭの認証部へ出力する（ステップ１１４）。これにより、磁気データに基づいた認証が行われるのを防止する。【選択図】図４
2007122503.tif 000002
【特許請求の範囲】
【請求項１】
裏面に形成された磁気トラックに固有情報が磁気データとして記録されたカードの真偽を識別するカード識別方法であって、
前記カードの表面又は表面と前記裏面を撮像手段によって撮像して画像データを取得し、
該画像データから、前記表面又は表面と前記裏面に画像が記録されているか否かを判定し、
判定結果に基づいて前記カードの真偽を識別する、
ことを特徴とするカード識別方法。
【請求項２】
前記表面又は表面と前記裏面に画像が記録されていると判定されたときに、
前記画像データと、予め登録された登録画像の画像データから、前記表面ないし前記裏面に前記登録画像が形成されているか否かを判定し、
判定結果に基づいて前記カードの真偽を識別する、
ことを特徴とする請求項１に記載のカード識別方法。
【請求項３】
裏面に形成された磁気トラックに固有情報が磁気データとして記録されたカードの真偽を識別するカード識別方法であって、
前記カードの表面又は表面と前記裏面を撮像手段によって撮像して画像データを取得し、
該画像データと、予め登録された登録画像の画像データから、前記表面ないし前記裏面に前記登録画像が形成されているか否かを判定し、
判定結果に基づいて前記カードの真偽を識別する、
ことを特徴とするカード識別方法。
【請求項４】
前記登録画像の画像データが、商標登録された画像又は該画像を含む画像データであることを特徴とする請求項２又は請求項３に記載のカード識別方法。
【請求項５】
裏面に形成された磁気トラックに固有情報が磁気データとして記録されたカードの真偽を識別するカード識別装置であって、
前記カードの表面ないし前記裏面を撮像する撮像手段と、
前記撮像手段の撮像結果から前記表面ないし裏面の画像データを生成する画像データ生成手段と、
前記画像データ生成手段によって生成された画像データから前記表面ないし裏面に画像が形成されているか否かを判定する判定手段と、
前記判定手段の判定結果に基づいて真偽を識別する識別手段と、
を含むことを特徴とするカード識別装置。
【請求項６】
予め登録されている登録画像の画像データが記憶される記憶手段と、
前記画像データ生成手段によって生成された前記画像データと前記登録画像の画像データを照合する照合手段と、
を含み、前記識別手段が、前記照合手段の照合結果から前記表面ないし裏面に前記登録画像が形成されているときに前記カードを真と識別する、
ことを特徴とする請求項５に記載のカード識別装置。
【請求項７】
裏面に形成された磁気トラックに固有情報が磁気データとして記録されたカードの真偽を識別するカード識別装置であって、
前記カードの表面ないし前記裏面を撮像する撮像手段と、
前記撮像手段の撮像結果から前記表面ないし裏面の画像データを生成する画像データ生成手段と、
予め登録されている登録画像の画像データが記憶される記憶手段と、
前記画像データ生成手段によって生成された前記画像データと前記登録画像の画像データを照合する照合手段と、
前記照合手段の照合結果から前記表面ないし裏面に前記登録画像が形成されているときに前記カードを真と識別する識別手段と、
を含むことを特徴とするカード識別装置。
【請求項８】
前記記憶手段に記憶される前記登録画像の画像データが、商標登録された画像又は該画像を含む画像データであることを特徴とする請求項６又は請求項７に記載のカード識別装置。
【発明の詳細な説明】
【技術分野】
【０００１】
本発明は、磁気トラックに記録された固有情報に基づいて所定の処理が可能となるクレジットカードやキャッシュカードなどのカードの真偽を識別するカード識別方法及びカード識別装置に関する。
【背景技術】
【０００２】
近年、クレジットカード（Credit  Card）、キャッシュカードなど（以下、カードとする）が普及して、個人で多数枚のカードを持つようになっている。このようなカードには、個人情報が磁気データとして記録されており、キャッシュディスペンサ（Cash  Dispenser：現金自動支払機）やＡＴＭ（Automated  Teller  Machine：現金自動預け払い機）（以下、一例としてＣＤとする）では、カードに記録されている磁気データを読み取ることにより、カードの持ち主を特定して、この磁気データによって特定される情報に基づいて現金の払い出しを行う。
【０００３】
個人情報を記録したカードの普及に伴って、カード犯罪が多発している。このカード犯罪には、スキミング（Skimming）によってカードに記録されている磁気データを読取り、読み取った磁気データを別のカードに記録することによる偽造があり、偽造カードを使用した物品の購入、現金の払い出しなどが行われる。
【０００４】
ところで、カードには、意匠登録されている発行元の信販会社や銀行などシンボルや文字などの画像が形成されることにより、カード自体に意匠性が持たせられ、ホログラムを形成するなどしてセキュリティ性の向上が図られているが、さらに、観察角度によって異なる色相を発現する光学可変インクを用いて偽造防止を図るようにした提案がなされている（例えば、特許文献１参照。）。
【０００５】
また、カードの偽造や改ざん等を防ぐ要素技術としては、ホログラムのほかに、透かし、パンチ、文字、図柄等の極細印刷、ＩＣチップの使用などがあり、この他に、カードの材質自体を特殊な材質としたり、紫外、赤外インクなどを用いて特殊なパターンを形成するなどの方法があり、さらに、顔写真、指紋、掌形、筆跡、印形、音声、耳形、虹彩、網膜、ＤＮＡなどを用いる方法などがある。
【０００６】
しかし、複写技術の進歩によりカードに記録された可視画像では、カードの偽造を抑えることが困難となる可能性があり、ここから、透明導電材料で固有の配線形状のパターンを形成し、その抵抗値又はパターンを発熱させることで発せられる赤外線を基に真偽の識別を可能とするカードが考えられ、このようなカードの真偽を的確に判定可能とする提案がなされている（例えば、特許文献２参照。）。
【０００７】
このように、カードに可視的ないし不可視的に画像等を形成することにより、偽造抑制と、的確な真偽判定を可能とすることにより、セキュリティ性の向上が図られている。
【０００８】
しかしながら、利用可能なカードには、セキュリティ機能を持たせたもののみでなく、セキュリティ機能を持たない旧式のカードが残っており、このために、ＣＤ（キャッシュディスペンサー）では、カードから単に磁気データを読み込み、暗証番号が入力されることにより、現金の払い出しを可能としなければならない。ここから、ＣＤを用いたカード犯罪に利用される偽造カードは、カード形状及び磁気データの記録位置のみを本物のカードと一致させた無地（例えば白色）などの所謂ブランクカードを用いることができるようになっている。
【特許文献１】特開平７−１０８７８８号公報
【特許文献２】特開２０００−１４８９３７号公報
【発明の開示】
【発明が解決しようとする課題】
【０００９】
本発明は上記事実に鑑みてなされたものであり、所謂ブランクカードの利用を防止することができるカードの識別方法及びカード識別装置を提供することを目的とする。
【課題を解決するための手段】
【００１０】
上記目的を達成するために本発明は、裏面に形成された磁気トラックに固有情報が磁気データとして記録されたカードの真偽を識別するカード識別方法であって、前記カードの表面又は表面と前記裏面を撮像手段によって撮像して画像データを取得し、該画像データから、前記表面又は表面と前記裏面に画像が記録されているか否かを判定し、判定結果に基づいて前記カードの真偽を識別する、ことを特徴とする。
【００１１】
この発明によれば、カードの表面又は表面と裏面を撮像し、撮像によって得られた画像データから、カードの表面又は表面と裏面に画像が記録されているか否かを判定し、画像が記録されていないと判定されたときには、該当カードが偽（真偽の偽）であると識別する。
【００１２】
磁気トラックに記録している固有情報以外に、特別なセキュリティ機能が設けられていないクレジットカードやキャッシュカードなどのカードは、スキミングによって偽造される可能性が高いが、このときには、画像が形成されていない白地などの無地のブランクカードが多用される。
【００１３】
ブランクカードの表面及び裏面を撮像して得られる画像データのヒストグラムはフラットであり、このような画像データが得られたときには、少なくともブランクカードであり、本物（真）のカードではないと識別することができる。
【００１４】
また、本発明のカード識別装置は、前記表面又は表面と前記裏面に画像が記録されていると判定されたときに、前記画像データと、予め登録された登録画像の画像データから、前記表面ないし前記裏面に前記登録画像が形成されているか否かを判定し、判定結果に基づいて前記カードの真偽を識別する、ことを特徴とする。
【００１５】
さらに、本発明のカード識別方法は、裏面に形成された磁気トラックに固有情報が磁気データとして記録されたカードの真偽を識別するカード識別方法であって、前記カードの表面又は表面と前記裏面を撮像手段によって撮像して画像データを取得し、該画像データと、予め登録された登録画像の画像データから、前記表面ないし前記裏面に前記登録画像が形成されているか否かを判定し、判定結果に基づいて前記カードの真偽を識別する、ことを特徴とする。
【００１６】
クレジットカードやキャッシュカードなどのカードは、マーク、文字、キャラクタなどの所定の画像又はこれらの画像を配列したデザインが施されている。
【００１７】
ここから、カードに記録されている画像や、カードの表面ないし裏面のデザインを登録画像として、登録画像の画像データと、撮像によって取得した画像データを照合し、登録画像が形成されているときには、該当カードが真であると識別することができる。
【００１８】
さらに、本発明のカード識別方法では、前記登録画像の画像データが、商標登録された画像又は該画像を含む画像データであることを特徴とする。
【００１９】
クレジットカード、キャッシュカードなどのカードには、発行元が商標登録した画像（トレードマーク）や、この画像を含めて所定のキャラクタや文字などを配列してデザインした画像が表面又は表面と裏面に形成されている。
【００２０】
ここから登録画像が、カードに形成されているときには、該当カードが真であると識別することができる。
【００２１】
このような本発明を適用するカード識別装置は、裏面に形成された磁気トラックに固有情報が磁気データとして記録されたカードの真偽を識別するカード識別装置であって、前記カードの表面ないし前記裏面を撮像する撮像手段と、前記撮像手段の撮像結果から前記表面ないし裏面の画像データを生成する画像データ生成手段と、前記画像データ生成手段によって生成された画像データから前記表面ないし裏面に画像が形成されているか否かを判定する判定手段と、前記判定手段の判定結果に基づいて真偽を識別する識別手段とを含むものであれば良く、予め登録されている登録画像の画像データが記憶される記憶手段と、前記画像データ生成手段によって生成された前記画像データと前記登録画像の画像データを照合する照合手段と、を含み、前記識別手段が、前記照合手段の照合結果から前記表面ないし裏面に前記登録画像が形成されているときに前記カードを真と識別するものであれば良い。
【００２２】
また、本発明のカード識別装置は、裏面に形成された磁気トラックに固有情報が磁気データとして記録されたカードの真偽を識別するカード識別装置であって、前記カードの表面ないし前記裏面を撮像する撮像手段と、前記撮像手段の撮像結果から前記表面ないし裏面の画像データを生成する画像データ生成手段と、予め登録されている登録画像の画像データが記憶される記憶手段と、前記画像データ生成手段によって生成された前記画像データと前記登録画像の画像データを照合する照合手段と、前記照合手段の照合結果から前記表面ないし裏面に前記登録画像が形成されているときに前記カードを真と識別する識別手段と、を含むものであっても良い。
【００２３】
このような本発明のカード識別装置では、前記記憶手段に記憶される前記登録画像の画像データが、商標登録された画像又は該画像を含む画像データであることがより好ましい。
【発明の効果】
【００２４】
上記構成の本発明によれば、特別なセキュリティ機能が設けられておらず、磁気トラックに記録されている固有情報に基づいた認証が行われるカードから、ブランクカードが偽造されても、この偽造カードが使用されるのを的確に防止することができるという優れた効果が得られる。
【発明を実施するための最良の形態】
【００２５】
以下、図面を参照して本発明の実施の形態の一例を詳細に説明する。図１には、本実施の形態に係るカード識別装置１０の概略構成を示している。このカード識別装置１０は、ＡＴＭ（Automated  Teller  Machine）１２に設けられている。
【００２６】
このＡＴＭ１２には、カード挿入口１４が設けられており、このカード挿入口１４から、所定のキャッシュカードやクレジットカードなど（以下、カード１６とする）が挿入される。なお、ここでは、ＡＴＭ１２を用いて説明するが、これに限らず、ＣＤ（Cash  Dispenser）など、カード１６が用いられる任意の機器に適用することが可能である。
【００２７】
図２（Ａ）及び図２（Ｂ）には、本実施の形態に適用されるカード１６の概略を示している。カード１６は、薄肉矩形状のプラスチックカードなどを用いられて形成される一般的構成となっている。また、図２（Ａ）に示されるように、カード１６の表面１６Ａには、所定のデザインが施され、図２（Ｂ）に示されるように、裏面１６Ｂには、テープ状（帯状）の磁気記録媒体が貼付されるなどして、磁気記録層（以下、磁気トラック１８とする）が設けられている。
【００２８】
このようなカード１６としては、カード１６自体、カード１６の所有者を特定する認証情報を含む情報が、磁気トラック１８に磁気データとして記録されたキャッシュカード、クレジットカードなどの一般的構成を適用することができる。
【００２９】
図１に示されるように、ＡＴＭ１２内には、ローラ対２０、２２が設けられている。ローラ対２０、２２のそれぞれは、モータなどの図示しない駆動源の駆動力によって正逆方向へ一定速度で回転駆動される。
【００３０】
ＡＴＭ１２では、カード挿入口１４にカード１６が挿入されると、このカード１６をローラ対２０によって挟持し、所定速度で搬送してローラ対２２へ受け渡すことにより、カード挿入口１４からカード１６を装置内部に引き入れる。また、ＡＴＭ１２では、カード１６の後端側を装置内部の所定位置まで引き入れると、ローラ対２０、２２を逆転駆動し、装置内部に引き入れたカード１６をカード挿入口１４から送り出して戻す。
【００３１】
また、ＡＴＭ１２には、ローラ対２０、２２の間に磁気ヘッド２４が設けられている。この磁気ヘッド２４は、ローラ対２０、２２によって挟持されて装置内部を移動するカード１６の磁気トラック１８に対向され、一定速度で移動するカード１６磁気トラック１８に摺接することにより、磁気トラック１８に記録されている磁気データに応じた電気信号を出力可能となっている。
【００３２】
なお、ＡＴＭ１２では、表面１６Ａが上方に向けられた状態でカード挿入口１４にカード１６が挿入されるようになっており、磁気ヘッド２４は、カード１６の移動経路の下方側に配置されている。
【００３３】
一方、ＡＴＭ１２には、装置の作動を制御する装置制御部２６に、磁気情報取得部２８及び認証部３０が設けられている。磁気情報取得部２８は、磁気ヘッド２４から出力される電気信号に基づいて、カード１６の磁気トラック１８に記録されている磁気データを出力する。
【００３４】
カード１６には、この磁気データとしてカード１６の所有者の認証情報が含まれている。認証部３０では、この認証情報から、予め登録されている暗証番号を取得し、この暗証番号と図示しないキーボードから入力される番号を照合し、一致するか否かを確認する。装置制御部２６では、入力された番号と予め登録されている暗証番号が一致することにより、該当カード１６を用いた入出金など処理が可能となるようにしている。なお、カード１６を用いたＡＴＭ１２での処理は、キーボードからの入力等による指示に基づいてなされる。また、このようなＡＴＭ１２の処理は、公知の処理を適用することができ、ここでは詳細な説明を省略する。
【００３５】
ところで、ＡＴＭ１２に設けているカード識別装置１０は、撮像手段として、ＣＣＤモジュール３２、３４及び光源３６を備えている。
【００３６】
ＣＣＤモジュール３２、３４は、ローラ対２０、２２の間に配置され、ＣＣＤモジュール３２は、ローラ対２０、２２の間を搬送されるカード１６の上面（表面１６Ａ）に対向され、ＣＣＤモジュール３４は、カード１６の下面（裏面１６Ｂ）に対向されている。
【００３７】
また、光源３６は、カード１６の表面１６Ａ及び裏面１６Ｂのそれぞれに対向して設けられ、例えば、白色光を、ＣＣＤモジュール３２、３４によって撮像するカード１６の表面１６Ａ及び裏面１６Ｂに照射し、適正な色での撮像が可能となるようにしている。
【００３８】
カード識別装置１０では、ＣＣＤモジュール３２、３４を撮像デバイスとして、カード１６の表面１６Ａ及び裏面１６Ｂの画像がＣＣＤモジュール３２、３４に結像されるようにしている。このとき、カード１６の搬送経路が一定であるため、ＣＣＤモジュール３２、３４は、固定倍率で画像読取り（撮像）を行うことができる。
【００３９】
これにより、カード１６の表面１６A及び裏面１６Ｂの画像に応じた電気信号がＣＣＤモジュール３２、３４から出力される。なお、撮像手段としては、ＣＭＯＳイメージセンサ等の任意の撮像デバイスを適用することができる。
【００４０】
カード識別装置１０には、信号処理部４０、識別処理部４２が設けられており、ＣＣＤモジュール３２、３４から出力される電気信号が信号処理部４０に入力される。
【００４１】
図３に示されるように、信号処理部４０は、ＣＣＤモジュール３２、３４のそれぞれに対して、ＣＣＤモジュール３２、３４を駆動する垂直・水平ドライバ４４（４４Ａ、４４Ｂ）と共に、相関二重サンプリング回路（ＣＤＳ）４６（４６Ａ、４６Ｂ）、ゲインコントローラ（ＧＣ）４８（４８Ａ、４８Ｂ）、Ａ／Ｄコンバータ５０（５０Ａ、５０Ｂ）及び、タイミングジェネレータ（ＴＧ）５２を備えており、これにより、ＣＣＤモジュール３２、３４を用いたカメラ（デジタルスチルカメラ）モジュールが形成されている。
【００４２】
ＣＣＤモジュール３２、３４は、相関二重サンプリング回路４６、ゲインコントローラ４８及びＡ／Ｄコンバータ５０を介して識別処理部４２に接続している。
【００４３】
これにより、ＣＣＤモジュール３２から出力される電気信号は、相関二重サンプリング回路４６Ａで相関二重サンプリング処理が施されることによりノイズ除去が図られ、ゲインコントローラ４８ＡによってＣＣＤモジュール３２におけるＲ、Ｇ、Ｂの各色の感度調整が施された後、各画素毎のＲ、Ｇ、Ｂの各色の信号として、Ａ／Ｄコンバータ５０Ａに入力される。また、ＣＣＤモジュール３４から出力される電気信号は、相関二重サンプリング回路４６Ｂ、ゲインコントローラ４８Ｂを介してＡ／Ｄコンバータ５０Ｂに入力される。
【００４４】
Ａ／Ｄコンバータ５０Ａは、ゲインコントローラ４８Ａから順に入力されるＲ、Ｇ、Ｂの各色の信号を例えば１２ビットのデジタル信号に変換し、デジタル画像データとして識別処理部４２へ出力する。また、Ａ／Ｄコンバータ５０Ｂは、ゲインコントローラ４８Ｂから入力されるＲ、Ｇ、Ｂの各色信号を１２ビットのデジタル信号に変換して、識別処理部４２へ出力する。
【００４５】
信号処理部４０のタイミングジェネレータ５２には、垂直・水平ドライバ４４Ａ、４４Ｂが接続しており、ＣＣＤモジュール３２、３４を駆動するタイミング信号を垂直・水平ドライバ４４Ａ、４４Ｂに出力する。
【００４６】
タイミング信号の出力タイミングは、ローラ対２０を通過したカード１６の全面が、ＣＣＤモジュール３２、３４に対向するタイミングとなっており、これにより、カード１６の表面１６Ａ及び裏面１６Ｂの全面を撮像した画像データが識別処理部４２に入力される。なお、光源３６は、カード挿入口１４からカード１６が挿入されるか、ＣＣＤモジュール３２、３４による撮像タイミングに合わせて点灯されるようになっている。
【００４７】
識別処理部４２には、画像処理部５４及び識別部５６が設けられている。画像処理部５４では、入力された画像データに対して、所定の画像処理を施す。このときに、画像処理部５４では、例えば、光源種に応じたデジタルゲインをかけることによりホワイトバランス調整を施すと共に、ガンマ処理及びシャープネス処理を施して、例えば８ビットのデジタル画像データを生成する。
【００４８】
これにより、カード１６の表面１６Ａ及び裏面１６Ｂが適正な色合いの画像データとして識別部５６へ出力されるようにしている。なお、カード１６が古かったり、長期に亘って使用されていると、退色、汚れ、擦り傷などによる画像のかすれ等が生じていることがあり、ここから、画像処理部５４では、退色補正処理、汚れやかすれ部分の補間処理等を施すものであっても良く、退色処理、補間処理が行われることが好ましい。
【００４９】
一方、カード識別装置１０には、記憶手段としてＨＤＤなどの不揮発性のメモリ（以下、ＨＤＤ５８とする）が設けられている。
【００５０】
このＨＤＤ５８には、予め登録されている画像の画像データが記憶されており、識別部５６では、画像処理部５４で処理された画像データと、ＨＤＤ５８に記憶されている登録画像の画像データを比較することにより、カード１６が、本物か偽造された贋物であるかの識別を行う。
【００５１】
すなわち、識別部５６では、ＣＣＤモジュール３２、３４を用いて読み込んだカード１６の表面１６Ａの画像ないし裏面１６Ｂの画像又は、表面１６Ａないし裏面１６Ｂに含まれえる画像が、予め登録されてＨＤＤ５８に記憶されている画像と一致するか否か、表面１６Ａ、裏面１６Ｂに予め登録されている画像が形成されているか否かを確認することにより、カード１６が登録されている種別のカードであるか否かを識別する。
【００５２】
また、識別部５６では、登録されている画像と一致する画像が、カード１６の表面１６Ａないし裏面１６Ｂに形成されているときや、表面１６Ａ及び裏面１６Ｂの画像が、ＨＤＤ５８に登録されているときには、該当カード１６が本物（真偽の真）であると識別する。
【００５３】
この識別結果は、装置制御部２６の認証部３０へ出力されるようになっており、認証部３０では、カード１６が本物であると識別されることにより、暗証番号等を用いた認証処理を行う。
【００５４】
図２（Ａ）に示されるように、カード１６には、一般に、例えば表面１６Ａに、商標登録された画像（トレードマーク）やロゴマーク、キャラクタなどの画像（以下、画像６０とする）が形成されている。また、図２（Ａ）及び図２（Ｂ）に示されるように、カード１６には、画像６０、文字、記号、模様、配色などによって表面１６Ａ及び裏面１６Ｂのそれぞれに、所定のデザインが施されている。
【００５５】
画像６０の位置や表面１６Ａ、裏面１６Ｂのデザインは、カード１６の種別（発行元、種類、発行時期などの別）によって異なり、同種のカード１６では、画像６０、画像６０の位置や大きさ、表面１６Ａ、裏面１６Ｂの基本的デザインは同じで、例えば、カード１６の所有者の表示や、キャッシュカードであれば、口座番号などの、カード１６ごとの固有情報の表示が異なるのみとなっている。
【００５６】
カード識別装置１０では、ＡＴＭ１２で使用可能とするカード１６の種別ごと、すなわち、カード識別装置１０で本物と識別するカード１６の種別ごとの画像６０ないし表面１６Ａ、裏面１６Ｂのイメージ（全面画像）の画像データがＨＤＤ５８に記録されている。
【００５７】
ＨＤＤ５８に登録（記憶）する画像データとしては、商標登録された画像６０や、画像６０と他のキャラクタ、文字、シンボルなどの複数の画像の画像データ、表面１６Ａ及び裏面１６Ｂのそれぞれを一つの画像とする画像データなどを適用することができる。
【００５８】
また、ＣＣＤモジュール３２、３４は、固定倍率で画像読み込みを行うことから、ＨＤＤ５８には、ＣＣＤモジュール３２、３４で読み込まれた画像データと、等倍となる画像データを記録することができ、このような画像データを用いることにより、画像照合（パターン照合）を行うときに、的確な照合が可能となる。
【００５９】
識別部５６では、ＣＣＤモジュール３２、３４で撮像して取得したカード１６の表面１６Ａないし裏面１６Ｂの画像データから、該当カード１６が、予め登録されている種類のカードであるか否かの識別が可能となっている。
【００６０】
以下に、本実施の形態の作用として、キャッシュディスペンサ１２の挿入口１４から挿入されるカード１６の識別を説明する。
【００６１】
図４には、カード識別装置１０での識別処理の流れを示している。このフローチャートは、ＡＴＭ１２が稼動中に実行され、最初のステップ１００では、ＡＴＭ１２のカード挿入口１４にカード１６が挿入されたか否かを確認する。
【００６２】
ここで、ＡＴＭ１２の利用者が、カード１６をカード挿入口１４に挿入すると、ステップ１００で肯定判定してステップ１０２へ移行し、挿入されたカード１６に対する識別処理を実行する。
【００６３】
ＡＴＭ１２では、カード挿入口１４からカード１６が挿入されると、ローラ対２０、２２を駆動して、カード１６を一定速度で搬送し、カード挿入口１４から装置内部へ引き入れながら磁気トラック１８に形成されている磁気データを、磁気ヘッド２４を用いて読み込む。
【００６４】
一方、カード識別装置１０では、ステップ１０２へ移行することにより、ローラ対２０、２２によって搬送されるカード１６が所定位置（表面１６Ａ及び裏面１６Ｂが、ＣＣＤモジュール３２、３４に対向する位置）に達するタイミングで、ＣＣＤモジュール３２、３４を用いた撮像（画像読み込み）を行う。
【００６５】
これにより、カード識別装置１０では、カード１６の表面１６Ａ及び裏面１６Ｂの画像データを取得すると、ステップ１０４へ移行し、取得した画像データのヒストグアムを生成する。
【００６６】
次のステップ１０６では、カード１６の表面１６Ａ及び裏面１６Ｂのヒストグラムから、カード１６の表面１６及び裏面１６Ｂに、画像が形成されているか否かを判定する。
【００６７】
これにより、カード１６の表面１６Ａ及び裏面１６Ｂに画像が記録されていると、ステップ１０６で肯定判定してステップ１０８へ移行する。
【００６８】
このステップ１０８では、ＨＤＤ５８に記憶されている登録画像の画像データと、ＣＣＤモジュール３２、３４で撮像して取得した画像データを照合する。すなわち、カード１６の表面１６Ａないし裏面１６Ｂに登録画像が記録されているか否かを確認する。なお、この画像データの照合処理は、任意のパターンマッチング処理を適用することができ、ここでは、詳細な説明を省略する。
【００６９】
次のステップ１１０では、ＣＣＤモジュール３２、３４で取得した画像データに登録画像の画像データが含まれているか否かを確認する。すなわち、カード１６の表面１６Ａないし裏面１６Ｂに登録画像が形成されているか否かを確認する。
【００７０】
ここで、ステップ１０８の画像照合により、カード１６に登録画像が形成されていると、ステップ１１０で肯定判定して、ステップ１１２へ移行する。
【００７１】
このステップ１１２では、カード１６の識別結果を、カード１６が本物（真）であると判定し、ステップ１１４では、この判定結果を、ＡＴＭ１２の処理制御部２６（認証部３０）へ出力する。
【００７２】
これにより、処理制御部２６の認証部３０では、磁気ヘッド２４を用いてカード１６の磁気トラック１８から読み込んだ磁気情報に基づいた暗証番号認証などの認証処理及び認証結果に基づいた処理を実行する。
【００７３】
ところで、カードには、図５（Ａ）及び図５（Ｂ）に示されるように、ブランクカード６２がある。このブランクカード６２は、表面６２Ａ及び裏面６２Ｂの何れにも、何らの画像も記録されていない無地（例えば白地）となっており、図５（Ｂ）に示されるように、裏面６２Ｂ側の所定位置に、磁気トラック１８が形成されているのみとなっている。
【００７４】
一方、キャッシュカードやクレジットカードには、ホログラム、透かしなどを用いた特殊印刷による画像形成や、ＩＣチップの使用などの特別なセキュリティ機能が設けられておらず、磁気トラック１８に磁気データが記録され、この磁気データを用いた認証処理が行われるカード１６がある。
【００７５】
このようなカード１６に対しては、スキミングにより磁気トラック１８に記録された磁気データを読取り、この磁気データを、ブランクカード６２の磁気トラック１８に記録し、別に暗証番号を取得することにより、このブランクカード６２を本物のカード１６と同様にＣＤやＡＴＭで利用することが可能となる。
【００７６】
通常、ＡＴＭでは、いずれかのカード１６から取得した磁気データを磁気トラック１８に記録したブランクカード６２が、カード挿入口１４から挿入されたときには、磁気ヘッド２４によって磁気トラック１８に記録されている磁気データが読み取られ、所定の暗礁番号が入力されたときに、入力された暗証番号と、本来のカード１６に対して登録されている暗証番号が一致すると、現金の払い出しなどの処理が可能となる。
【００７７】
ここで、本実施の形態に適用しているＡＴＭ１２には、カード識別装置１０が設けられており、カード識別装置１０では、ブランクカード６２が挿入されたときにも、ブランクカード６２の表面６２Ａ、裏面６２Ｂの撮像を行い、ヒストグラムを生成する。
【００７８】
無地のブランクカード６２の場合、色や濃度の変化が無いために、生成されるヒストグラムは、フラットとなり、このヒストグラムから画像が形成されていないことが明確となるため、図４のフローチャートでは、ステップ１０６で否定判定してステップ１１６に移行する。
【００７９】
このステップ１１６では、カード１６の識別結果を、カード１６が偽造された偽物（偽）であると判定する。次のステップ１１４で、この判定結果が、ＡＴＭ１２の処理制御部２６（認証部３０）へ出力されることにより、認証部３０では、挿入されたカード（ブランクカード６２）に対する認証処理を中止する。
【００８０】
これにより、ブランクカード６２を、誤って本物のカード１６に認証して、現金の払い出し等を行うのを確実に防止することができる。
【００８１】
一方、ブランクカード６２は、表面６２Ａ及び裏面６２Ｂに任意の画像を形成することができ、表面６２Ａ及び裏面６２Ｂに画像が形成されていると、ステップ１０６で肯定判定されてステップ１０８へ移行する。
【００８２】
このステップ１０８では、ＣＣＤモジュール３２、３４で読み込んだ画像の画像データと、ＨＤＤ５８に登録されている画像の画像データとの照合を行うようになっている。また、登録されている画像は、トレードマークに基づいた画像６０や、この画像６０を含めてデザインされている画像となっており、これらの画像と一致しないとき、すなわち、単に、本来のカード１６と同一の画像６０や、デザインが施されていないときには、ステップ１１０で否定判定され、偽物と識別される。
【００８３】
このように、カード識別装置１０では、カード１６に変えて、ブランクカード６２が、ＡＴＭ１２のカード挿入口１４に挿入されたときには、挿入されたブランクカード６２が偽物であると的確に識別することができる。また、ＡＴＭ１２では、カード識別装置１０の判定結果に基づいて照合処理を行うか否かを判断するので、スキミング等によって偽造されたブランクカード６２を、本来のカード１６として、現金の払い出し等を行うことがない。
【００８４】
なお、以上説明した本実施の形態は、本発明の構成を限定するものではない。例えば、本実施の形態では、カード１６の表面１６Ａ及び裏面１６Ｂのそれぞれに形成されている画像を読み込んで識別を行うようにしたが、これに限らず、例えば、画像６０が記録されている表面１６Ａのみを撮像して、識別するようにしても良い。
【００８５】
また、本実施の形態では、ＣＣＤモジュール３２、３４を用いて、カード１６の表面１６Ａ及び裏面１６Ｂを一括して撮像するようにしているが、これに限らず、例えばＣＣＤラインセンサなどを用い、一定速度で移動するカード１６をスキャンすることにより、カード１６の表面１６Ａ及び裏面１６Ｂに記録されている画像読み込みを行うようにしても良く、これにより、狭いスペースでの画像読み込みが可能となり、カード識別装置１０を設けるために必要とする設置スペースが広がるのや、カード１６の搬送経路が長くなってしまうのを抑えることができる。
【００８６】
なお、以上説明した本実施の形態では、本発明を適用したカード識別装置１０をＡＴＭ１２に設けて説明したが、本発明のカード識別装置は、これに限らず、特殊印刷やデザイン、チップＩＣなどの部品などを用いたセキュリティ機能が設けられていないクレジットカードやキャッシュカードに磁気データとして記録されている情報を読取り、読み取った情報に基づいた認証及び各種の処理を行うカード処理装置に適用することができる。
【図面の簡単な説明】
【００８７】
【図１】本実施の形態に係るカード識別装置及びキャッシュディスペンサの要部の概略構成図である。
【図２】（Ａ）及び（Ｂ）は、カードの一例を示す概略図であり、（Ａ）は表面を示し、（Ｂ）は裏面を示している。
【図３】カード識別装置の一例を示す機能ブロック図である。
【図４】カード識別処理の概略を示す流れ図である。
【図５】（Ａ）及び（Ｂ）は偽造カードの一例を示す概略図であり、（Ａ）は表面を示し、（Ｂ）は裏面を示している。
【符号の説明】
【００８８】
１０    カード識別装置
１２    ＡＴＭ
１６    カード
１６Ａ    表面
１６Ｂ    裏面
１８    磁気トラック
２４    磁気ヘッド
２６    磁気情報読取部
３０    認証部
３２、３４    ＣＣＤモジュール
４０    信号処理部
４２    識別処理部
５６    識別部
５８    ＨＤＤ
６０    画像
６２    ブランクカード
【図１】
2007122503.tif 000003
【図２】
2007122503.tif 000004
【図３】
2007122503.tif 000005
【図４】
2007122503.tif 000006
【図５】
2007122503.tif 000007